(57)【特許請求の範囲】
【請求項１】
複数の端末装置に充電可能な無接点充電装置であって、
少なくとも１つの前記端末装置を前記充電と並行して外部機器と通信可能にする通信手段と、
前記通信手段により通信中の前記端末装置に該通信中であることを識別可能に表示させるための制御信号を送信するとともに、前記通信中の前記端末装置が複数の場合に、該通信中の各前記端末装置に互いに識別可能となるような表示をさせるための制御信号を送信する制御手段と、
を備えることを特徴とする無接点充電装置。
【請求項２】
前記制御手段は、前記通信中の前記端末装置が複数の場合に、通信先の前記外部機器にどの前記端末装置と通信しているかが識別可能となるような表示をさせるための制御信号を送信する、
ことを特徴とする請求項１に記載の無接点充電装置。
【請求項３】
前記端末装置を近接させたときに前記充電が可能な所定の充電可能領域を更に備え、
前記充電可能領域はその一部に前記通信手段による通信が可能な通信可能領域を備えており、
前記通信可能領域は、その他の前記充電可能領域と目視で識別可能に形成されている、
ことを特徴とする請求項１又は２に記載の無接点充電装置。
【請求項４】
前記充電可能領域は前記端末装置が載置される平面状の領域であり、
前記通信可能領域は、平面標識、凸部又は凹部として前記充電可能領域に形成されている、
ことを特徴とする請求項３に記載の無接点充電装置。
【請求項５】
無接点充電装置による充電が可能な通信端末装置であって、
前記充電と並行して前記無接点充電装置を介して外部機器と通信する通信手段と、
前記通信手段による通信に関する通信情報を表示する表示手段と、
前記通信手段によって通信中である場合に、該通信中であることを前記表示手段に識別可能に表示させるための制御信号を送信する制御手段と、
複数の前記通信端末装置が前記通信手段によって前記外部機器と通信する場合に、他の前記通信端末装置と互いに識別可能な通信識別情報を前記無接点充電装置から取得する情報取得手段と、を備え、
前記制御手段は、前記通信識別情報を前記制御信号に含めて前記表示手段に送信し、
前記表示手段は、前記制御手段からの前記制御信号に基づいて他の前記通信端末装置と目視で互いに識別可能な前記通信情報を表示する、
ことを特徴とする通信端末装置。
【請求項６】
複数の端末装置に充電可能な無接点充電装置を制御するコンピュータを、
少なくとも１つの前記端末装置を前記充電と並行して外部機器と通信可能にする通信手段、
前記通信手段により通信中の前記端末装置に該通信中であることを識別可能に表示させるための制御信号を送信するとともに、前記通信中の前記端末装置が複数の場合に、該通信中の各前記端末装置に互いに識別可能となるような表示をさせるための制御信号を送信する制御手段、
として機能させることを特徴とするプログラム。
【請求項７】
通信端末装置と、複数の前記端末装置に充電可能な無接点充電装置と、前記無接点充電装置を介して１又は複数の前記端末装置と通信する通信装置と、を備える無接点充電システムであって、
前記通信装置は、
通信中の前記端末装置を識別可能に表示する表示手段と、
前記表示手段で表示されている１又は複数の前記端末装置からユーザの指示により任意の１つを選択する選択手段と、
前記通信中の前記端末装置が複数の場合に、該通信中の各前記端末装置に互いに識別可能となるような表示をさせるための制御信号を送信するとともに、前記選択手段により選択された前記端末装置に識別可能な他の表示をさせるための他の制御信号を送信する制御手段と、を備える、
ことを特徴とする無接点充電システム。
【発明の詳細な説明】
【技術分野】
【０００１】
本発明は、無接点充電装置、通信端末装置及びプログラム並びに無接点充電システムに関する。
【背景技術】
【０００２】
近時、携帯電話機のような通信端末装置（以下、本明細書及び図面では「端末装置」又は「端末」ともいう）等の電子機器の小型化に伴い、電子機器が備えるバッテリーを充電する方式として無接点充電方式が採用されるようになってきている。この充電方式に用いられる無接点充電装置は、端末側で接点を露出させる必要がないため、ショート等を起こすことがなく各種端末装置に対して応用可能である。
【０００３】
他方、端末を充電台（クレードル）に設置する事により、ＰＣ（Personal Computer）やネットワークとの通信が可能になるシステムは広く普及している。また、特許文献１，２には、端末の充電と並行して端末とコンピュータ等との通信を可能とする技術が開示されている。
【先行技術文献】
【特許文献】
【０００４】
【特許文献１】特表２００９−５０１０００号公報
【特許文献２】特開２００８−１１８５７５号公報
【発明の概要】
【発明が解決しようとする課題】
【０００５】
今後、無接点方式の充電装置が普及すると、例えば台状に形成された充電装置（以下「充電台」という）とこれに載置される端末との位置関係についての自由度が高くなることが予想される。すなわち、（１）複数の端末を同時に充電台に置く、（２）充電台に載置された端末の１つまたは複数が充電台を経由してＰＣやネットワークと通信を行う、のようなユースケースが生じることが考えられる。
【０００６】
しかしながら、上記のユースケースでは、以下に示すような問題の発生が予想される。例えば、（１）複数の端末を充電可能とする無接点充電装置で充電と並行して通信を行うと、どの端末が通信しているのかがユーザに分かりにくい、（２）複数の端末が通信可能な場合、ユーザが間違って他の端末のデータにアクセスするなどの誤操作が発生しやすい、（３）無接点充電台上の置く位置によっては通信しにくい、といった問題が発生することが考えられる。
【０００７】
本発明は、上記問題点に鑑みてなされたもので、複数の端末が充電可能状態にあるときに特定の端末が通信中であることをユーザが直感的に確認しやすい無接点充電装置、通信端末装置及びこれらを機能させるプログラム並びに無接点充電システムを提供することを目的とする。
【課題を解決するための手段】
【０００８】
上記目的を達成するため、本発明の第１の観点に係る無接点充電装置は、
複数の端末装置に充電可能な無接点充電装置であって、
少なくとも１つの前記端末装置を前記充電と並行して外部機器と通信可能にする通信手段と、
前記通信手段により通信中の前記端末装置に該通信中であることを識別可能に表示させるための制御信号を送信するとともに、前記通信中の前記端末装置が複数の場合に、該通信中の各前記端末装置に互いに識別可能となるような表示をさせるための制御信号を送信する制御手段と、
を備えることを特徴とする。
【００１０】
また、前記制御手段は、前記通信中の前記端末装置が複数の場合に、通信先の前記外部機器にどの前記端末装置と通信しているかが識別可能となるような表示をさせるための制御信号を送信する、
こととしてもよい。
【００１１】
また、前記端末装置を近接させたときに前記充電が可能な所定の充電可能領域を更に備え、
前記充電可能領域はその一部に前記通信手段による通信が可能な通信可能領域を備えており、
前記通信可能領域は、その他の前記充電可能領域と目視で識別可能に形成されている、
こととしてもよい。
【００１３】
また、前記充電可能領域は前記端末装置が載置される平面状の領域であり、
前記通信可能領域は、平面標識、凸部又は凹部として前記充電可能領域に形成されている、
こととしてもよい。
【００１５】
上記目的を達成するため、本発明の第２の観点に係る通信端末装置は、
無接点充電装置による充電が可能な通信端末装置であって、
前記充電と並行して前記無接点充電装置を介して外部機器と通信する通信手段と、
前記通信手段による通信に関する通信情報を表示する表示手段と、
前記通信手段によって通信中である場合に、該通信中であることを前記表示手段に識別可能に表示させるための制御信号を送信する制御手段と、
複数の前記通信端末装置が前記通信手段によって前記外部機器と通信する場合に、他の前記通信端末装置と互いに識別可能な通信識別情報を前記無接点充電装置から取得する情報取得手段と、を備え、
前記制御手段は、前記通信識別情報を前記制御信号に含めて前記表示手段に送信し、
前記表示手段は、前記制御手段からの前記制御信号に基づいて他の前記通信端末装置と目視で互いに識別可能な前記通信情報を表示する、
ことを特徴とする。
【００１７】
上記目的を達成するため、本発明の第３の観点に係るプログラムは、
複数の端末装置に充電可能な無接点充電装置を制御するコンピュータを、
少なくとも１つの前記端末装置を前記充電と並行して外部機器と通信可能にする通信手段、
前記通信手段により通信中の前記端末装置に該通信中であることを識別可能に表示させるための制御信号を送信するとともに、前記通信中の前記端末装置が複数の場合に、該通信中の各前記端末装置に互いに識別可能となるような表示をさせるための制御信号を送信する制御手段、
として機能させることを特徴とする。
【００１９】
上記目的を達成するため、本発明の第４の観点に係る無接点充電システムは、
通信端末装置と、複数の前記端末装置に充電可能な無接点充電装置と、前記無接点充電装置を介して１又は複数の前記端末装置と通信する通信装置と、を備える無接点充電システムであって、
前記通信装置は、
通信中の前記端末装置を識別可能に表示する表示手段と、
前記表示手段で表示されている１又は複数の前記端末装置からユーザの指示により任意の１つを選択する選択手段と、
前記通信中の前記端末装置が複数の場合に、該通信中の各前記端末装置に互いに識別可能となるような表示をさせるための制御信号を送信するとともに、前記選択手段により選択された前記端末装置に識別可能な他の表示をさせるための他の制御信号を送信する制御手段と、を備える、
ことを特徴とする。
【発明の効果】
【００２０】
本発明によれば、無接点充電装置において充電可能に配置されている複数の通信端末装置から通信中の端末がどれであるかを目視できるため、ユーザが直感的かつ容易に通信中の端末を確認することができる。
【図面の簡単な説明】
【００２１】
【図１】本発明の実施形態１の構成を示す模式図である。
【図２】図１に示す構成のブロック図である。
【図３】本発明の実施形態１の動作を示す模式図である。
【図４】図１に示す構成における通信動作を示すフローチャートである。
【図５】本発明の実施形態２の構成を示す模式図である。
【図６】（ａ）は通信動作におけるＰＣのディスプレイの表示例を示す図であり、（ｂ）は通信動作における携帯端末のディスプレイの表示例を示す図である。
【図７】本発明の実施形態２の動作を示すフローチャートである。
【図８】本発明の実施形態２の動作において用いられる接続番号管理テーブルの例を示す図である。
【図９】本発明の実施形態２の変形例における動作を示すフローチャートである。
【図１０】本発明の実施形態３の構成を示す模式図である。
【図１１】図１０に示す構成の一部のブロック図である。
【図１２】（ａ）〜（ｃ）は実施形態３の通信用載置部の構成例を示す図である。
【図１３】本発明の実施形態４の構成を示す模式図である。
【図１４】本発明の実施形態４の動作を示すフローチャートである。
【図１５】本発明の実施形態５の構成を示す模式図である。
【図１６】（ａ）は通信動作におけるＰＣのディスプレイの表示例を示す図であり、（ｂ）は通信動作における携帯端末のＬＥＤ発光部及びディスプレイの表示例を示す図である。
【図１７】本発明の実施形態６の構成を示す模式図である。
【図１８】図１７に示す構成のブロック図である。
【図１９】本発明の実施形態６の動作を示すフローチャートである。
【図２０】本発明の実施形態６の変形例における動作を示すフローチャートである。
【発明を実施するための形態】
【００２２】
以下、本発明の実施形態について添付図面を参照して説明する。
【００２３】
（実施形態１）
図１に示すように、実施形態１に係る無接点充電システム１は、無接点充電台１０と、複数の携帯端末３０と、ＰＣ５０と、通信用ケーブル７０と、を備えている。
【００２４】
無接点充電台１０は、その外形が携帯端末３０を複数個載置できるような大きさを有する矩形の板状体として形成されており、この板状体の主面に携帯端末３０を近接させたときに無接点で携帯端末３０を充電することが可能となるようになっている。本実施形態の例における無接点充電台１０では、図示の上面が充電可能領域であるとし、無接点充電台１０に携帯端末３０を載置することによって無接点充電台１０と携帯端末３０とが近接するものとする。無接点充電台１０は、例えば商用電源に接続するための電源ケーブル１１と、通信用ケーブル７０が接続可能な接続ポート（図示せず）と、を備えている。
【００２５】
携帯端末３０は、本実施形態の例では携帯電話機である。ただし、携帯端末３０の通話機能等に関する説明は本明細書では省略する。携帯端末３０は、その筐体を畳んだ状態で外部から視認可能な位置に設けられたＬＥＤ（Light Emitting Diode）発光部３１とディスプレイ３２とを備えている。ＬＥＤ発光部３１はＬＥＤ素子を有しており携帯端末３０のＣＰＵ３３（後述）の制御に従って発光する。なお、以下の明細書及び図面の説明においてＬＥＤ発光部３１を単にＬＥＤともいう。ディスプレイ３２は、携帯端末３０のＣＰＵ３３の制御に従ってユーザに対する文字、図形、色等の情報を表示する。これらのＬＥＤ発光部３１又はディスプレイ３２は、携帯端末３０の表示手段として機能する。
【００２６】
ＰＣ５０は、所定のアプリケーションソフトを実行し、無接点充電台１０の動作を規定する。また、ＰＣ５０は上記のアプリケーションソフトの実行状態を表示するディスプレイ５１を備えている。
【００２７】
通信用ケーブル７０は、無接点充電台１０とＰＣ５０との間で通信を行うための信号を伝送する。なお、本明細書では代表的な例として無接点充電台１０とＰＣ５０との間で有線通信をするものとして記載しているが、電波又は赤外線等による無線通信であってもよい。
【００２８】
続いて、上述した無接点充電台１０、携帯端末３０及びＰＣ５０のより詳細な構成を図２のブロック図に示す。
【００２９】
無接点充電台１０は、前述の電源ケーブル１１の他に、通信部１２と、ＰＣ通信部１３と、通信制御部１４と、メモリ１５と、ＣＰＵ１６と、コイル駆動部１７と、給電コイル１８と、電源回路１９と、を備えている。
【００３０】
通信部１２は、後述する携帯端末３０の通信部３４と、例えば端末情報や充電管理に関する情報についての通信を行う。本実施形態の無接点充電台１０は携帯端末３０とのインターフェースに接点を有していないため、通信部１２と携帯端末３０の通信部３４との通信も無接点で行われる。この通信には例えば無線や赤外線による方法を用いることができる。
【００３１】
ＰＣ通信部１３は、後述するＰＣ５０の通信部５２と通信を行う。この通信は、通信用ケーブル７０を介して行われる。
【００３２】
通信制御部１４は、ＣＰＵ１６の指示に基づいて、通信部１２又はＰＣ通信部１３に対してそれぞれの通信状態の変更等を指示する。また、通信制御部１４は、携帯端末３０又はＰＣ５０から受信した信号を通信部１２又はＰＣ通信部１３からＣＰＵ１６へ伝達する。これらの通信部１２、ＰＣ通信部１３及び通信制御部１４は無接点充電台１０の通信手段として機能する。
【００３３】
メモリ１５は、ＲＯＭ（Read Only Memory）、ＲＡＭ（Random Access Memory）等から構成された記憶装置である。メモリ１５には、ＣＰＵ１６が実行するプログラム及びデータ等が格納されている。また、メモリ１５は、例えば、ＣＰＵ１６がプログラムを実行する際のワークメモリとして動作する。
【００３４】
ＣＰＵ１６は、携帯端末３０の充電、通信及びデータ管理等、無接点充電台１０の機能全般を制御する。このＣＰＵ１６は、無接点充電台１０の制御手段として機能する。
【００３５】
コイル駆動部１７は、ＤＣ（直流）／ＡＣ（交流）インバータ等を備えており、ＣＰＵ１６の指示に基づいて、給電コイル１８に対して所定のＡＣ電流を供給する。
【００３６】
給電コイル１８は、コイル駆動部１７から供給されたＡＣ電流により、後述する携帯端末３０の受電コイル３９に対する電磁誘導用の磁界を発生させる。本実施形態のような複数個の携帯端末３０の充電に対応するため、給電コイル１８は無接点充電台１０の所定の範囲内に配置された１又は複数個のコイルを備えている。
【００３７】
電源回路１９は、ＡＣ／ＤＣコンバータ等を備えており、電源ケーブル１１を介して商用電源から供給されるＡＣ電流を所定のＤＣ電流に変換する。
【００３８】
携帯端末３０は、前述のＬＥＤ発光部３１及びディスプレイ３２以外に、ＣＰＵ３３と、通信部３４と、メモリ３５と、充電制御部３６と、整流部３７と、バッテリー３８と、受電コイル３９と、を備えている。
【００３９】
ＣＰＵ３３は、携帯端末３０の充電、通信部３４を介しての無接点充電台１０との通信、データ管理及び表示等、携帯端末３０の機能全般を制御する。
【００４０】
通信部３４は、前述した無接点充電台１０の通信部１２との間で通信を行う。この通信部３４は、携帯端末３０の通信手段として機能する。また、上記ＣＰＵ３３及び通信部３４は、携帯端末３０の通信情報取得手段として機能する。
【００４１】
メモリ３５は、ＲＯＭ（Read Only Memory）、ＲＡＭ（Random Access Memory）等から構成された記憶装置である。メモリ３５には、ＣＰＵ３３が実行するプログラム及びデータ等が格納されている。また、メモリ３５は、例えば、ＣＰＵ３３がプログラムを実行する際のワークメモリとして動作する。
【００４２】
充電制御部３６は、ＣＰＵ３３の指示に基づいて、携帯端末３０の充電時間やバッテリー３８の充放電電流についての監視制御を行う。
【００４３】
整流部３７は、受電コイル３９が電磁誘導により受電したＡＣ電流を整流し、所定の充電電圧をバッテリー３８に印加して充電させる。また、整流部３７は、充電時において整流したＤＣ電流を、充電制御部３６を経由して携帯端末３０内の各部に供給する。
【００４４】
バッテリー３８は、無接点充電台１０から受電しバッテリー３８によって整流されたＤＣ電力を蓄えるとともに、非充電時に携帯端末３０の動作用電源として電力を供給する二次電池である。
【００４５】
受電コイル３９は、携帯端末３０が無接点充電台１０に載置されて充電されるときに、対向する位置に設けられている給電コイル１８から電磁誘導により受電する。これにより、受電コイル３９の両端にはＡＣ電圧が発生する。
【００４６】
ＰＣ５０は、前述のディスプレイ５１以外に、通信部５２と、メモリ５３と、ＣＰＵ５４と、を備えている。
【００４７】
通信部５２は、前述した無接点充電台１０のＰＣ通信部１３との間で通信を行う。
【００４８】
メモリ５３は、ＲＯＭ（Read Only Memory）、ＲＡＭ（Random Access Memory）等から構成された記憶装置である。メモリ５３には、ＣＰＵ５４が実行するプログラム及びデータ等が格納されている。また、メモリ５３は、例えば、ＣＰＵ５４がプログラムを実行する際のワークメモリとして動作する。
【００４９】
ＣＰＵ５４は、通信部５２を介しての無接点充電台１０との通信、データ管理及び表示等、ＰＣ５０の機能全般を制御する。
【００５０】
本明細書の各実施形態の説明では、無接点充電台１０上に載置された携帯端末３０はいずれも充電可能であるものとする。充電動作は、概略以下のように行われる。無接点充電台１０は、電源ケーブル１１を介して給電される交流を、電源回路１９によるＡＣ／ＤＣ変換、及びコイル駆動部１７によるＤＣ／ＡＣ変換を経て、載置された携帯端末３０の受電コイル３９に対応する位置の給電コイル１８に所定の交流として供給する。これらの動作は、ＣＰＵ１６の指示により行われる。そして、上記無接点充電台１０の動作により携帯端末３０の受電コイル３９には誘導電流が流れる。携帯端末３０は、この誘導電流を整流部３７で整流し、所定の充電電圧としてバッテリー３８に印加することによりバッテリー３８を充電する。なお、携帯端末３０のこれらの動作はＣＰＵ３３及び充電制御部３６の指示により行われる。
【００５１】
次に、本実施形態に係る無接点充電システム１の動作について図３及び図４を参照して説明する。
【００５２】
以下、本実施形態の動作、特に通信動作について説明する。本実施形態では、図１に示した例えば３つの携帯端末３０を区別するため、図３に示すように、携帯端末３０ａ，３０ｂ，３０ｃの符号を付すこととする。なお、以下の動作の説明では、携帯端末３０ｂが無接点充電台１０及びＰＣ５０と通信を行う。携帯端末３０ａ，３０ｃは、充電中又は充電終了後であるが、無接点充電台１０及びＰＣ５０との通信は行わない。
【００５３】
また、図３に示すように、ＰＣ５０では無接点充電台１０及び携帯端末３０と通信するためのソフトウェアである通信アプリケーション６０がユーザによって起動されている。ユーザは、ディスプレイ５１に表示されたアプリケーション画面を参照しながらＰＣ５０の入力装置（図示せず）へ指示を入力する。通信アプリケーション６０は、この指示に従い、無接点充電台１０、携帯端末３０及びＰＣ５０についての通信動作を制御する。以下、図４に示すフローチャートによる無接点充電台１０及び携帯端末３０の各処理は、原則として通信アプリケーション６０の起動後の処理である。
【００５４】
（充電台）
はじめに、無接点充電台１０のＣＰＵ１６は、ＰＣ５０との通信が確立しているか否かを判別する（ステップＳ１１０）。通信が確立していない場合（ステップＳ１１０：Ｎｏ）、確立するまでステップＳ１１０の処理を繰り返す。
【００５５】
ＰＣ５０との通信が確立すると（ステップＳ１１０：Ｙｅｓ）、続いてＣＰＵ１６は携帯端末３０ｂへ通信要求する（ステップＳ１２０）。
【００５６】
その後、携帯端末３０ｂから通信が確立したことを示す信号が入力されることで、ＣＰＵ１６は携帯端末３０ｂとの通信が確立したと判断する（ステップＳ１３０）。
【００５７】
その後、ＣＰＵ１６は、通信用ケーブル７０を介してＰＣ５０と携帯端末３０ｂとの間で通信を行うための接続処理を行い、（ステップＳ１４０）、無接点充電台１０における処理は終了する。以降、ＰＣ５０と携帯端末３０ｂとの通信は、それぞれのＣＰＵ５４，３３間で行われる。
【００５８】
（携帯端末）
はじめに、携帯端末３０ｂのＣＰＵ３３は、携帯端末３０ｂが充電中か否かを判別する（ステップＳ３１０）。充電中でない場合（ステップＳ３１０：Ｎｏ）、充電中と判別されるまでこの処理を繰り返す。
【００５９】
携帯端末３０ｂが充電中と判別されると（ステップＳ３１０：Ｙｅｓ）、次にＣＰＵ３３は無接点充電台１０からの通信要求を待つ（ステップＳ３２０）。このとき、無接点充電台１０からの通信要求処理は、前述したステップＳ１２０の処理である。
【００６０】
無接点充電台１０から通信要求が来ると、ＣＰＵ３３は、無接点充電台１０との端末装置と確立させるとともに、無接点充電台１０へ通信が確立したことを示す信号を送信する（ステップＳ３３０）。なお、この信号は、前述したステップＳ１３０の処理において無接点充電台１０のＣＰＵ１６が受信する。
【００６１】
次に、ＣＰＵ３３は、前述した無接点充電台１０によるＰＣ５０と携帯端末３０ｂとの通信接続処理（ステップＳ１４０）により、ＰＣ５０との通信が確立したか否かを判別する（ステップＳ３４０）。ＰＣ５０との通信が確立しない場合（ステップＳ３４０：Ｎｏ）、確立するまでこの処理を繰り返す。
【００６２】
ＰＣ５０との通信が確立すると（ステップＳ３４０：Ｙｅｓ）、ＣＰＵ３３は、携帯端末３０ｂとＰＣ５０とが通信中であることを示すため、携帯端末３０ｂのＬＥＤ発光部３１ｂを点灯させる（ステップＳ３５０）。なお、図３に示すように、ＬＥＤ発光部３１ｂは発光しているが携帯端末３０ａのＬＥＤ発光部３１ａ及び携帯端末３０ｃのＬＥＤ発光部３１ｃは発光していないため、ユーザは通信中の携帯端末を目視で容易に識別することができる。
【００６３】
その後、ＣＰＵ３３は、通信アプリケーション６０の制御等によって、携帯端末３０とＰＣ５０との通信が終了したか否かを判別する（ステップＳ３６０）。ＰＣ５０との通信が終了しない場合（ステップＳ３６０：Ｎｏ）、終了するまでこの処理を繰り返す。
【００６４】
ＰＣ５０との通信が終了すると（ステップＳ３６０：Ｙｅｓ）、ＣＰＵ３３は、携帯端末３０ｂのＬＥＤ発光部３１ｂを消灯させ（ステップＳ３７０）、携帯端末３０の処理は終了する。ＬＥＤ発光部３１ｂの消灯により、ユーザは携帯端末３０ｂとＰＣ５０との通信が終了したことを識別することができる。
【００６５】
以上説明したように、本実施形態では、通信中の端末装置が通信中であることが識別可能となるような表示を該端末装置に行わせるための制御信号を送信するようにした。これにより、当該無接点充電装置の自由な位置に複数の端末装置を置いて通信を行っても、どの端末が通信しているのかをユーザが直感的かつ容易に理解することができる。従って、本実施形態によれば、間違って無接点充電装置から通信中の端末装置を外して通信が切断されてしまうことを防止できる。
【００６６】
（実施形態２）
次に、本発明の実施形態２について図５〜図９を参照して説明する。本実施形態に係る無接点充電システム２は、例示された３つの携帯端末のうち２つが充電中に通信を行うという点において実施形態１と異なっている。なお、図５及び図６の説明において、実施形態１と同じ構成物には同じ参照符号を付してその詳細な説明は省略する。
【００６７】
本実施形態における無接点充電システム２の物理的な構成及びブロック図は、実施形態１の無接点充電システム１（図１及び図２）と同様である。しかしながら、本実施形態ではＰＣ５０で起動されている通信アプリケーションは参照符号６０ａ，６０ｂの２つである点が実施形態１と異なっている。通信アプリケーション６０ａ，６０ｂは、それぞれ無接点充電台１０上に載置されている携帯端末３０ａ，３０ｂに対応しており、これらの端末と無接点充電台１０、ＰＣ５０との通信を制御する。
【００６８】
実施形態１では携帯端末３０が通信中であることをユーザが認識するためにＬＥＤ発光部３１を発光させたが、本実施形態では携帯端末３０のディスプレイ３２に所定の表示をさせることとする。図５は、携帯端末３０ａのディスプレイ３２ａ及び携帯端末３０ｂのディスプレイ３２ｂに所定の表示をさせている。この場合、携帯端末３０ｃのディスプレイ３２ｃには本明細書に関する通信中である旨の表示はされていない。また、ＰＣ５０のディスプレイ５１にも起動中の通信アプリケーション６０ａ，６０ｂの表示がされている。
【００６９】
ユーザが視認するディスプレイ表示の例を図６（ａ），（ｂ）に示す。ＰＣ５０のディスプレイ５１には、図６（ａ）に示すように、通信アプリケーション６０ａのウィンドウ内に例えば「端末通信中：接続Ｎｏ．１」と表示されている。また、通信アプリケーション６０ｂのウィンドウ内に例えば「端末通信中：接続Ｎｏ．２」と表示されている。このように、２つの通信中の携帯端末３０についてユニークな表示（本実施形態の例では連番）を付している。これらに対応して、携帯端末３０ａのディスプレイ３２ａには、例えば「ＰＣ通信中：接続Ｎｏ．１」と表示され、携帯端末３０ｂのディスプレイ３２ｂには、例えば「ＰＣ通信中：接続Ｎｏ．２」と表示される。このように、携帯端末３０の側でも通信アプリケーション６０と対応させて連番で表示を行う。
【００７０】
次に、本実施形態に係る無接点充電システム２の動作のうち、特に接続番号の表示の部分について説明する。以下の説明では、無接点充電台１０、携帯端末３０及びＰＣ５０の通信における「接続番号」の管理主体により２つのケースについて示す。なお、以下の説明では、特に記載する部分を除いて複数の携帯端末３０のうち１つ（携帯端末３０ａ又は携帯端末３０ｂ）の通信について説明する。
【００７１】
（１）充電台がＰＣ−端末の接続番号を管理する場合
図７のフローチャートを参照して動作を説明する。
（ＰＣ）
以下、ＰＣ５０のＣＰＵ５４は、通信アプリケーション６０ａ又は６０ｂのプログラムに基づいて動作するものとする。はじめに、ＣＰＵ５４は、無接点充電台１０へ通信を要求する（ステップＳ５１０）。その後、無接点充電台１０からＰＣ５０との通信が確立した旨（後述するステップＳ１１２）の信号を受信すると、ＣＰＵ５４は、無接点充電台１０との通信を確立させる処理を行う（ステップＳ５２０）。
【００７２】
その後、無接点充電台１０においてＰＣ−端末間の通信接続処理が行われると（後述するステップＳ１４１）、ＰＣ５０のＣＰＵ５４は、携帯端末３０との通信を確立させる処理を行う（ステップＳ５３０）。
【００７３】
その後、無接点充電台１０から送信された接続番号（後述するステップＳ１６０）を受信すると（ステップＳ５４０）、ＣＰＵ５４は、ディスプレイ５１に図６（ａ）に示した通信アプリケーション６０ａ（または６０ｂ）を表示させる（ステップＳ５５０）。ここで、複数の携帯端末３０で通信中である場合、２番目に通信が確立したものについては図６（ａ）の通信アプリケーション６０ｂのように連番表示（Ｎｏ．２）する。
【００７４】
（充電台）
はじめに、無接点充電台１０のＣＰＵ１６は、ＰＣ５０からの通信要求を待つ（ステップＳ１１１）。ＰＣ５０から通信要求を受けると（前述したステップＳ５１０）、ＣＰＵ１６は、ＰＣ５０との通信を確立させる処理を行う（ステップＳ１１２）。ここで、無接点充電台１０とＰＣ５０との通信が確立すると、ＣＰＵ１６は、ＰＣ５０（ステップＳ５２０）へ通信が確立したことを示す信号を送信する。
【００７５】
その後、ＣＰＵ１６は、携帯端末３０へ通信要求を行い（ステップＳ１２０）、その後携帯端末３０からの信号に従って携帯端末３０との通信を確立させる処理を行う（ステップＳ１３０）。ステップＳ１２０，Ｓ１３０の処理は、図４に示す実施形態１における処理と同様である。
【００７６】
続いて、ＣＰＵ１６は、ＰＣ−端末間の通信接続処理を行う（ステップＳ１４１）。ここでは、ＣＰＵ１６が通信制御部１４を介して、無接点充電台１０−携帯端末３０間（通信部１２と通信部３４）の通信及び無接点充電台１０−ＰＣ５０間（ＰＣ通信部１３と通信部５２）の通信を確立させる。なお、通信接続処理の結果を無接点充電台１０からＰＣ５０に送信することにより、前述したようにＰＣ５０のＣＰＵ５４はステップＳ５３０の処理を実行する。また、同様の通信接続処理の結果は携帯端末３０へも送信される（後述するステップＳ３４１）。
【００７７】
続いて、ＣＰＵ１６は、メモリ１５に格納された接続番号管理テーブルに、接続状態を登録する（ステップＳ１５０）。接続番号管理テーブルは、例えば図８に示すように、「接続番号」と、「ＰＣ通信ポート」と、「端末通信ポート」と、「状態」と、の項目を備えた表の形式で構成されている。
【００７８】
図８の例では、接続番号Ｎｏ．１では、無接点充電台１０のＰＣ５０（通信部５２）との通信ポート（ＰＣ通信ポート）に「ポート１」が割り当てられており、同様に携帯端末３０（ＰＣ通信部１３）との通信ポート（端末通信ポート）に「ポート１」が割り当てられている。このように、「ＰＣ通信ポート」と「端末通信ポート」との双方において接続されることで携帯端末３０とＰＣ５０との通信が確立され、このときの「状態」は「接続中」として他の項目とともに接続番号管理テーブルに登録される。また、接続番号Ｎｏ．２の例では、無接点充電台１０の「ＰＣ通信ポート」に「ポート２」が割り当てられているが、「端末通信ポート」には何も割り当てられておらず「未接続」である。したがって、Ｎｏ．２の場合携帯端末３０とＰＣ５０との通信は確立されておらず、このときの「状態」は「未接続」として他の項目とともに接続番号管理テーブルに登録される。
【００７９】
続いて、ＣＰＵ１６は、ＰＣ５０と携帯端末３０とに向けて、上記の処理で携帯端末３０とＰＣ５０との通信が確立された接続番号を送信する（ステップＳ１６０）。具体的には、上記の接続番号管理テーブルの内容を送信する。ここで、接続番号とはＰＣ５０又は携帯端末３０で表示させるためのものであるため通信が確立された接続番号を含む必要があるが、「未接続」の接続番号も含めてテーブル内容を送信しても差し支えない。その場合には、ＰＣ５０又は携帯端末３０で無接点充電台１０からの受信データから接続番号を選択して表示させる。なお、これにより前述したようにＰＣ５０はステップＳ５４０，５５０の処理を行いディスプレイ５１に接続番号を表示させる。
【００８０】
（携帯端末）
はじめに、携帯端末３０ａ（又は３０ｂ）のＣＰＵ３３は、携帯端末３０ａ（又は３０ｂ）が充電中か否かを判別する（ステップＳ３１０）。続いて、ＣＰＵ３３は無接点充電台１０からの通信要求を待ち（ステップＳ３２０）、通信要求に応じて無接点充電台１０との通信を確立させるとともに、無接点充電台１０へ通信が確立したことを示す信号を送信する（ステップＳ３３０）。これらの各処理は、図４に示す実施形態１と同様である。
【００８１】
その後、ＣＰＵ３３は、携帯端末３０とＰＣ５０との通信を確立する（ステップＳ３４１）。ここでは、前述のようにＰＣ−端末間の接続処理（ステップＳ１４１）によって無接点充電台１０から送信された接続処理の結果をＣＰＵ３３が受信し、ＰＣ５０との接続を確立する処理を行う。
【００８２】
その後、前述したように無接点充電台１０から接続番号が送信されると、携帯端末３０のＣＰＵ３３はこの接続番号を受信する（ステップＳ３８０）。そして、受信した接続番号に応じて携帯端末３０のディスプレイ３２ａ（又は３２ｂ）に、図６（ｂ）に示した連番を含むメッセージを表示する（ステップＳ３９０）。
【００８３】
なお、ＰＣ５０のディスプレイ５１の表示又は携帯端末３０のディスプレイ３２の表示を終了させるため、ステップＳ５５０又はステップＳ３９０の後に図４のステップＳ３６０，ステップＳ３７０の処理と同様のルーチンを追加してもよい。
【００８４】
（２）ＰＣアプリケーションがＰＣ−端末の接続番号を管理する場合
図９のフローチャートを参照して動作を説明する。
図９に示すフローチャートについては、ＰＣ５０の側で接続番号管理テーブルを管理することによる図７のフローチャートとの相違点のみについて以下に説明する。
【００８５】
ＰＣ５０では、携帯端末３０との通信確立（ステップＳ５３０）後、ＣＰＵ５４がメモリ５３に格納された接続番号管理テーブルに接続状態を登録する（ステップＳ５３１）。接続番号管理テーブルは、図８に記載されたものと同様の項目で構成されている。
【００８６】
続いて、ＣＰＵ５４は、無接点充電台１０に向けて接続番号を送信する（ステップＳ５４１）。この処理は、前述の無接点充電台１０におけるステップＳ１６０と同様の処理となるが、図９の例ではＰＣ５０からは無接点充電台１０のみへの送信となる。その後、前述したように、ＣＰＵ５４はディスプレイ５１に通信アプリケーション６０ａ（又は６０ｂ）を表示させる（ステップＳ５５０）。
【００８７】
（充電台）
無接点充電台１０では、前述したＰＣ−端末間の通信接続処理（ステップＳ１４１）の後、ＰＣ５０から接続番号が送信される（ステップＳ５４１）と、ＣＰＵ１６がこの接続番号を携帯端末３０へ転送する（ステップＳ１６１）。転送された接続番号は、携帯端末３０において前述のように受信される（ステップＳ３８０）。
【００８８】
以上説明したように、本実施形態では、通信中の端末装置が複数の場合に、他の端末装置による通信と識別可能となるような表示を該複数の端末装置に行わせるための制御信号を送信するようにした。これにより、当該無接点充電装置に通信のための複数の接点を用意する必要がなくなる。従って、本実施形態によれば、自由な位置に複数の端末装置を置いて複数同時に通信を行っても、外部機器から間違って他の端末装置のデータにアクセスするなどの誤操作を防止できる。
【００８９】
また、本実施形態では、通信中の端末装置が複数の場合に、どの端末装置と通信中であるかを識別可能となるような表示を通信先の外部機器に行わせるための制御信号を送信するようにした。これにより、ユーザが直感的に通信中の端末装置を判別することができる。従って、本実施形態によれば、外部機器から間違って他の端末装置のデータにアクセスするなどの誤操作を防止できる。
【００９０】
（実施形態３）
次に、本発明の実施形態３について図１０〜図１２を参照して説明する。本実施形態に係る無接点充電システム３は、無接点充電台１０上における携帯端末３０とＰＣ５０との通信が可能な領域をユーザが容易に識別できるような構造を設けている点で、前述の各実施形態と異なっている。なお、図１０〜図１２の説明において、実施形態１及び２と同じ構成物には同じ参照符号を付してその詳細な説明は省略する。
【００９１】
図１０に示すように、本実施形態の無接点充電台１０は、通信用載置部２０を備えている。また、本実施形態では例として２個の携帯端末３０（３０ｄ，３０ｅ）が無接点充電台１０に載置されており、そのうち携帯端末３０ｄは通信用載置部２０上に載置されている。本実施形態の例では、携帯端末３０ｄがＰＣ５０と通信中であり、ＬＥＤ発光部３１ｄが点灯している。また、通信用載置部２０上に載置されていない携帯端末３０ｅのＬＥＤ発光部３１ｅは点灯していない。また、ＰＣ５０のディスプレイ５１では、本実施形態における通信を制御するため起動された通信アプリケーション６０のウィンドウが表示されている。これにより、ユーザは携帯端末３０ｄがＰＣ５０と通信中であることを容易に識別できる。なお、本実施形態における動作については、後述の実施形態４で併せてフローチャートを参照しながら説明する。
【００９２】
図１１のブロック図に示すように、無接点充電台１０、携帯端末３０及びＰＣ５０のそれぞれは図２に示す実施形態１と基本的に同様である。しかし、本実施形態の無接点充電台１０では、通信部１２の位置等に対応した通信可能領域２１の範囲で通信が可能となっている。従って、通信用載置部２０は、ユーザが目視等で携帯端末３０をこの通信可能領域２１の範囲内に置くことができるように設けられている。
【００９３】
通信用載置部２０の具体例について、図１２（ａ）〜（ｃ）にそれぞれ記載した平面標識２２、凸部２３及び凹部２４で示す。図１２（ａ）の平面標識２２は、図示の例では無接点充電台１０に貼り付けられた矩形のラベルである。平面標識２２の表面には例えばＬ字型のガイドが４個印刷されており、この４個のガイドを頂点とする矩形の範囲内に携帯端末３０ｄを置くことで通信が可能となるようになっている。なお、平面標識２２は例えばペイントであってもよい。図１２（ｂ）で例示された凸部２３は、平面標識２２のＬ字型のガイドに相当する形状の４個の凸状のガイドである。また、図１２（ｃ）に示すように、携帯端末３０ｄを置く領域を無接点充電台１０の他の載置部よりも低い位置とすることで識別させることとしてもよい。
【００９４】
なお、図１２（ａ）〜（ｃ）の平面標識２２、凸部２３及び凹部２４の形状等は、ユーザが認識可能なように任意の形状とすることができる。また、図示の簡略化のため図１２には記載されていないが、通信用載置部２０であることを示す文字等を無接点充電台１０に設けてもよいことは勿論である。
【００９５】
以上説明したように、本実施形態では、無接点充電装置における通信可能な位置（領域）が識別可能にデザインされているようにした。例えば図１２（ａ）〜（ｃ）のような構成によれば、ユーザが目視で容易に通信可能領域を判別できる。このように、本実施形態によれば、ユーザが無接点充電装置上の通信しにくい位置に端末装置を置くことで通信が適切に行われなくなることを防止できる。
【００９６】
（実施形態４）
次に、本発明の実施形態４について図１３及び図１４を参照して説明する。なお、図１３及び図１４の説明において、実施形態１〜３と同じ構成物には同じ参照符号を付してその詳細な説明は省略する。
【００９７】
本実施形態に係る無接点充電システム４の物理的構成及びブロック図は、実施形態３の無接点充電システム３と同様である。本実施形態では、携帯端末３０とＰＣ５０とが通信中であることを携帯端末３０ｄのディスプレイ３２ｄに表示し、通信可能領域２１内に載置されていない携帯端末３０ｅのディスプレイ３２ｅには表示しないこととする点で実施形態３と異なっている。なお、図１３では、携帯端末３０ｄが載置されている無接点充電台１０の部分を通信可能領域２１として表示しているが、図１２（ａ）〜（ｃ）で前述したような任意の具体的構成としてよい。
【００９８】
以下、無接点充電システム４の動作について図１４のフローチャートを参照して説明する。なお、以下に説明する動作は基本的には実施形態３における無接点充電システム３の動作と同一である。無接点充電システム３と無接点充電システム４とで異なる点については別途付記する。
【００９９】
（充電台）
はじめに、無接点充電台１０のＣＰＵ１６は、携帯端末３０へ通信要求を行い（ステップＳ１２０）、その後携帯端末３０からの信号に従って携帯端末３０との通信を確立させる処理を行う（ステップＳ１３０）。ステップＳ１２０，Ｓ１３０の処理は、図４に示す実施形態１における処理と同様である。
【０１００】
その後、ＣＰＵ１６は、無接点充電台１０と携帯端末３０との通信状態を監視し（ステップＳ１７０）、通信が維持されているか否かを判別する（ステップＳ１８０）。通信が維持されている場合（ステップＳ１８０：Ｙｅｓ）、処理はステップＳ１７０に戻り監視を繰り返す。通信が維持されていない、即ち通信が切断されたと判別された場合（ステップＳ１８０：Ｎｏ）、処理はステップＳ１２０に戻り、ＣＰＵ１６は携帯端末３０への通信要求を繰り返す。
【０１０１】
（携帯端末）
はじめに、携帯端末３０ａのＣＰＵ３３は、無接点充電台１０からの通信要求を待つ（ステップＳ３２０）。この処理は、図４に示す実施形態１と同様である。続いて、ＣＰＵ３３は、無接点充電台１０との通信確立処理を行い（ステップＳ３２１）、通信が確立されたか否かを判別する（ステップＳ３２２）。ステップＳ３２０において携帯端末３０から通信要求（ステップＳ１２０）がなければ、通信は確立せず（ステップＳ３２２：Ｎｏ）、処理はステップＳ３２０に戻って通信要求待ちを繰り返す。
【０１０２】
携帯端末３０から通信要求があった場合、ステップＳ３２１の処理によって通信が確立し（ステップＳ３２２：Ｙｅｓ）、続いてＣＰＵ３３は無接点充電台１０へ通信が確立したことを示す信号を送信する（ステップＳ３３０）。この処理は、図４に示す実施形態１と同様である。
【０１０３】
続いて、ＣＰＵ３３は、携帯端末３０ｄのディスプレイ３２ｄに通信が確立したことを表示する（ステップＳ３５１）。この処理により、図１３に示すように、ディスプレイ３２ｄに例えば「ＰＣとの通信が可能です」というメッセージを表示する。なお、実施形態３ではステップＳ３５１の処理により、図１０に示すように携帯端末３０ｄのＬＥＤ発光部３１ｄが点灯する。
【０１０４】
続いて、ＣＰＵ３３は、携帯端末３０と無接点充電台１０との通信状態を監視し（ステップＳ３６１）、通信が維持されているか否かを判別する（ステップＳ３６２）。通信が維持されている場合（ステップＳ３６２：Ｙｅｓ）、処理はステップＳ３６１に戻り監視を繰り返す。
【０１０５】
携帯端末３０と無接点充電台１０との通信が維持されていない、即ち通信が切断されたと判別された場合（ステップＳ３６２：Ｎｏ）、ＣＰＵ３３は、メッセージが表示されていたディスプレイ３２ｄを消灯させる（ステップＳ３７１）。なお、実施形態３では、ステップＳ３７１において、ＣＰＵ３３は点灯していたＬＥＤ発光部３１ｄを消灯させる。以上により、携帯端末３０における一連の通信処理が終了する。
【０１０６】
以上説明したように、本実施形態では、通信可能な位置に端末装置を設置した際に、通信可能である旨の表示を該端末装置に行わせるための制御信号を送信するようにした。これにより、当該表示を行う端末装置が通信可能であることをユーザが容易に理解することができる。従って、本実施形態によれば、端末装置と充電台又は外部装置との通信をより確実に行うことができる。
【０１０７】
（実施形態５）
次に、本発明の実施形態５について図１５及び図１６を参照して説明する。なお、図１５及び図１６の説明において、実施形態１〜４と同じ構成物には同じ参照符号を付してその詳細な説明は省略する。
【０１０８】
本実施形態に係る無接点充電システム５の物理的構成及びブロック図は、実施形態２の無接点充電システム２と同様である。本実施形態では、携帯端末３０とＰＣ５０とが通信中であることに加え、ＰＣ５０で起動している通信アプリケーション６０がユーザによって選択されていることを携帯端末３０に表示させる点で実施形態２と異なっている。
【０１０９】
以下、本実施形態の動作について、図１５及び図１６を参照して説明する。図１５の例では、無接点充電台１０上に３つの携帯端末３０ａ〜３０ｃが載置されている。携帯端末３０ａ〜３０ｃは、いずれも図示されている位置において充電可能である。また、携帯端末３０ａ〜３０ｃのうち携帯端末３０ａ，３０ｂは、無接点充電台１０を介してＰＣ５０と通信中である。この通信は前述の実施形態２と同様の方法で行われている。図１５に示すように、携帯端末３０ａのディスプレイ３２ａと携帯端末３０ｂのディスプレイ３２ｂには通信中であることを示す所定の表示（後述）がされており、ＰＣ５０では携帯端末３０ａに対応する通信アプリケーション６０ａと携帯端末３０ｂに対応する通信アプリケーション６０ｂとが起動している。
【０１１０】
本実施形態では、上記に加え、ＰＣ５０のディスプレイ５１上でユーザが例えば通信アプリケーション６０ｂを選択している。具体的には、図１６（ａ）に示すように、ユーザが操作するＰＣ５０のポインティング装置（図示せず）によって、ディスプレイ５１上のカーソル６１が指し示す通信アプリケーション６０ｂのウィンドウが選択（フォーカス）されている。なお、このとき、図６に示した実施形態２と同様に、通信アプリケーション６０ａでは例えば「端末通信中：接続Ｎｏ．１」と表示され、通信アプリケーション６０ｂでは例えば「端末通信中：接続Ｎｏ．２」と表示される。
【０１１１】
また、この状態において、携帯端末３０側では図１６（ｂ）に示すような表示がなされる。携帯端末３０ａではディスプレイ３２ａにＰＣ５０と通信中であることを示す例えば「ＰＣ通信中：接続Ｎｏ．１」の表示がされ、携帯端末３０ｂではディスプレイ３２ｂに例えば「ＰＣ通信中：接続Ｎｏ．２」と表示される。さらに、ユーザが選択している通信アプリケーション６０ｂに対応する携帯端末３０ｂでは、ＬＥＤ発光部３１ｂが発光することで通信アプリケーション６０ｂがフォーカスされていることを示す。なお、選択されていない通信アプリケーション６０ａに対応する携帯端末３０ａのＬＥＤ発光部３１ａは消灯している。
【０１１２】
以上説明したように、本実施形態では、端末装置と通信装置（例えばＰＣ）との通信の際にユーザが主として操作する通信装置側で通信中の端末装置を選択し、当該選択状態であることを示す表示を端末装置にさせることとした。これにより、通信装置においてユーザが選択した端末装置を無接点充電装置上で容易に識別することができる。従って、本実施形態によれば、複数個の端末装置が通信中の場合にもユーザの誤操作の可能性をより低減させることができる。
【０１１３】
（実施形態６）
次に、本発明の実施形態６について図１７〜図２０を参照して説明する。本実施形態に係る無接点充電システム６は、携帯端末３０とＰＣ５０とが通信中であることを示す表示を無接点充電台１０にて行う点で、前述の各実施形態と異なっている。なお、図１７〜図２０の説明において、実施形態１〜５と同じ構成物には同じ参照符号を付してその詳細な説明は省略する。
【０１１４】
図１７及び図１８に示すように、本実施形態の例では無接点充電台１０に３つの通信用載置部２０が設けられている。それぞれの通信用載置部２０は、実施形態３と同様の構成とすることができ、携帯端末３０が各１個載置されるような大きさの領域となっている。また、各通信用載置部２０に対応する３つのディスプレイ２５（２５ａ〜２５ｃ）が無接点充電台１０に設けられている。このディスプレイ２５は、本実施形態では例えば３つの液晶パネルとして構成されており、ＣＰＵ１６の指示に基づき、文字、記号、図形等を表示することができる。その他の構成については実施形態１及び２と同様である。なお、ディスプレイ２５は、本実施形態の例の他にＬＥＤ素子による等任意の表示方法を用いることとしてもよい。
【０１１５】
次に、本実施形態に係る無接点充電システム６の動作について、特に実施形態２と異なる部分について説明する。
【０１１６】
（１）充電台がＰＣ−端末の接続番号を管理する場合
図１９のフローチャートを参照して動作を説明する。
図７に示した実施形態２のフローチャートでは、携帯端末３０が無接点充電台１０から接続番号を受信し（ステップＳ３８０）、ディスプレイ３２に接続番号を表示する（ステップＳ３９０）。これに対し、図１９に示すフローチャートでは、無接点充電台１０において以下の処理が行われる。
【０１１７】
図１９に示すように、前述した無接点充電台１０における接続状態の登録処理（ステップＳ１５０）の後、無接点充電台１０のＣＰＵ１６は、前述のステップＳ１６０と同様であるがＰＣ５０にのみ接続番号を送信する（ステップＳ１６２）。続いて、ＣＰＵ１６は、ディスプレイ２５ａ〜２５ｃのうちステップＳ１４１においてＰＣ５０との通信が確立した携帯端末３０に対応するものに所定の表示をさせる（ステップＳ１６５）。本実施形態では、携帯端末３０ａに対応するディスプレイ２５ａに例えば「ＰＣ通信中：接続Ｎｏ．１」と表示させ、携帯端末３０ｂに対応するディスプレイ２５ｂに例えば「ＰＣ通信中：接続Ｎｏ．２」と表示させる。表示は携帯端末３０と通信アプリケーション６０との対応が容易に識別できるものであるのが好ましく、本実施形態のような連続番号以外のユニークな表示であってもよい。
【０１１８】
（２）ＰＣアプリケーションがＰＣ−端末の接続番号を管理する場合
図２０のフローチャートを参照して動作を説明する。
図９に示した実施形態２の別のフローチャートでは、携帯端末３０が無接点充電台１０から接続番号を受信し（ステップＳ３８０）、ディスプレイ３２に接続番号を表示する（ステップＳ３９０）。これに対し、図２０に示すフローチャートでは、無接点充電台１０において以下の処理が行われる。
【０１１９】
図２０に示すように、前述した無接点充電台１０におけるＰＣ−端末間の通信接続処理（ステップＳ１４１）の後、無接点充電台１０のＣＰＵ１６は、ＰＣ５０からステップＳ５４１の処理によって送信された接続番号を受信する（ステップＳ１６３）。このとき、図９のステップＳ１６１の処理とは異なり携帯端末３０への接続番号の転送は行われない。続いて、ＣＰＵ１６は、ディスプレイ２５ａ〜２５ｃのうちステップＳ１４１においてＰＣ５０との通信が確立した携帯端末３０に対応するものに所定の表示をさせる（ステップＳ１６５）。この処理は図１９の例と同様である。
【０１２０】
以上説明したように、本実施形態では、端末装置と外部装置とが通信中であることを当該端末装置に対応させて無接点充電台に表示させることとした。これにより、例えば同じ無接点充電及び通信に対応するがディスプレイの位置等が異なる種々の端末装置に対しても高い識別性を得ることができる。なお、上述の説明ではディスプレイ２５の表示について実施形態２のようなディスプレイ３２と同様な表示として例示した。この他にも、実施形態１のようなＬＥＤ発光部３１と同様な発光表示とすることとしてもよい。また、ＬＥＤ発光部３１及びディスプレイ３２のいずれか又は両方と組み合わせてもよいことは勿論である。
【０１２１】
なお、この発明は上述した実施形態・具体例に限定されず、種々の変形及び応用が可能である。
【０１２２】
本発明は、携帯電話機以外にも、例えば、カメラ、ＰＤＡ（Personal Digital Assistant）、ノートＰＣ、ウェアラブルＰＣ、電卓、電子辞書など、電源用のバッテリー及び外部機器との通信手段を備えた種々の通信端末装置に適用することができる。
【０１２３】
また、上述の実施形態では携帯端末３０のＬＥＤ発光部３１によって発光するものとして説明しているが、発光方式はＬＥＤ以外にもＥＬ（エレクトロルミネッセンス）等の任意の手法によることができる。また、ＬＥＤ発光部３１に相当する発光機能を例えばディスプレイ３２の表示の一形態として実行することとしてもよい。
【０１２４】
また、上述したフローチャートに基づく処理を実行するプログラムをインターネット等の通信ネットワーク上のサーバ装置が有するディスク装置等に格納しておき、例えば、搬送波に重畳させて、コンピュータにダウンロード等するようにしてもよい。さらに、通信ネットワークを介してプログラムを転送しながら起動実行することによっても、上述の処理を達成することができる。
【０１２５】
また、上述の機能を、ＯＳ（Operating System）が分担又はＯＳとアプリケーションの協働により実現する場合等には、ＯＳ以外の部分のみを媒体に格納して配布してもよく、また、コンピュータにダウンロード等してもよい。
【０１２６】
上述した無接点充電の方式は、いわゆる電磁誘導を利用するものであるが、これ以外に例えば電波の送受信によるもの又は磁気共鳴を利用するもの等でもよい。これらの場合、図２に示す構成のうち、例えば無接点充電台１０のコイル駆動部１７及び給電コイル１８、並びに携帯端末３０の充電制御部３６、整流部３７及び受電コイル３９を無接点充電方式に応じた構成とすることができる。
【０１２７】
また、上記実施形態にかかる無接点充電台１０又は携帯端末３０に含まれる構成は、ハードウェアによって実現可能であることはもとより、ＣＰＵ１６又はＣＰＵ３３のソフトウェア処理によって実現されてもよい。この場合、例えばメモリ１５又はメモリ３５のＲＯＭに上述した各処理を実現するためのプログラムを格納し、ＣＰＵ１６又はＣＰＵ３３がこのようなプログラムを実行するようにすればよい。
【０１２８】
また、このようなプログラムの提供方法は任意であり、例えば、インターネットなどの通信媒体を介して搬送波上に具現化されたデータ信号として提供可能である他、例えば、メモリカードなどの記録媒体に格納して配布してもよい。
【０１２９】
また、上述の実施形態では通信アプリケーション６０を通信対象の携帯端末３０ごとにウィンドウとして表示しているが、例えば１つのウィンドウに通信対象の携帯端末３０をリスト表示するなどユーザが認識可能な形態であればよい。
【符号の説明】
【０１３０】
１〜６…無接点充電システム、１０…無接点充電台、１１…電源ケーブル、１２…通信部、１３…ＰＣ通信部、１４…通信制御部、１５…メモリ、１６…ＣＰＵ、１７…コイル駆動部、１８…給電コイル、１９…電源回路、２０…通信用載置部、２１…通信可能領域、２２…平面標識、２３…凸部、２４…凹部、２５，２５ａ〜ｃ…ディスプレイ、３０，３０ａ〜ｅ…携帯端末、３１，３１ａ〜ｅ…ＬＥＤ発光部、３２，３２ａ〜ｅ…ディスプレイ、３３…ＣＰＵ、３４…通信部、３５…メモリ、３６…充電制御部、３７…整流部、３８…バッテリー、３９…受電コイル、５０…ＰＣ、５１…ディスプレイ、５２…通信部、５３…メモリ、５４…ＣＰＵ、６０，６０ａ〜ｂ…通信アプリケーション、６１…カーソル、７０…通信用ケーブル
【図１】
0005500631.tif 000002
【図２】
0005500631.tif 000003
【図３】
0005500631.tif 000004
【図４】
0005500631.tif 000005
【図５】
0005500631.tif 000006
【図６】
0005500631.tif 000007
【図７】
0005500631.tif 000008
【図８】
0005500631.tif 000009
【図９】
0005500631.tif 000010
【図１０】
0005500631.tif 000011
【図１１】
0005500631.tif 000012
【図１２】
0005500631.tif 000013
【図１３】
0005500631.tif 000014
【図１４】
0005500631.tif 000015
【図１５】
0005500631.tif 000016
【図１６】
0005500631.tif 000017
【図１７】
0005500631.tif 000018
【図１８】
0005500631.tif 000019
【図１９】
0005500631.tif 000020
【図２０】
0005500631.tif 000021